(57)【特許請求の範囲】
【請求項１】
上面に開口する矩形状の本体を備え、この本体の開口縁各辺には透明板を立設して成る平型ショーケースにおいて、前記本体開口縁の隅部に立設された支柱と、この支柱に固定され、支柱と共に前記透明壁の端部を保持するコーナーキャップと、前記開口縁各辺の外側に取り付けられたハンドレールと、各ハンドレールの突き合わされる端面間に渡って設けられたコーナーカバーとを備え、ハンドレールは最も外側となる垂直部と上傾斜部と下傾斜部と被係合部を有すると共に、コーナーカバーは、最も外側となる垂直部と上傾斜部と下傾斜部と被係合部を有し、コーナーカバーの上下傾斜部及び被係合部をハンドレールの上下傾斜部及び被係合部に係合させる共に、前記コーナーキャップの下端面により、コーナーカバーの上傾斜部を上から押さえ付けたことを特徴とする平型ショーケース。
【発明の詳細な説明】
【０００１】
【発明の属する技術分野】
本発明は、上面に開口する矩形状の本体から成り、この本体の開口縁各辺には透明壁を立設して成る平型ショーケースに関するものである。
【０００２】
【従来の技術】
従来よりこの種平型ショーケースは、スーパーマーケットなどの店舗に設置されるものであり、例えば特開平７−２９４０９８号公報（Ｆ２５Ｄ２１／０４）に示されている。このショーケースは、上方に開口する本体内に貯蔵室を構成し、この貯蔵室と本体間に構成したダクト（循環路）の底部に冷却装置の蒸発器と送風機を設け、この蒸発器にて冷却された冷気を送風機によって、開口の一方の縁部に形成した吐出口から対向する縁部に形成した吸込口に向けて吐出している。
【０００３】
これによって、貯蔵室の開口部にエアーカーテンを形成し、外気が貯蔵室内に侵入することを抑制すると共に、一部を貯蔵室内に循環させて貯蔵室内を冷却している。
【０００４】
係るショーケースでは貯蔵室の底部にデックパンと称される所定面積の商品載置板が載置され、そのデックバン上にスチロール樹脂製のトレイに載せられた商品（食品）などが多数並べられて陳列される。また、本体の開口縁各辺は、透明壁が立設されると共に、開口縁各辺の外側にはハンドレールが取り付けられている。この場合、前記開口縁隅部には支柱が立設されて、この支柱に透明壁の縁部が保持されると共に、ハンドレールが相互に突き合わされる隅部にはコーナーカバーが各ハンドレールにネジ止めされ、開口縁外側の隅部を覆っていた。
【０００５】
【発明が解決しようとする課題】
このように、従来ではコーナーカバーをハンドレールにネジ止めすることにより取り付けていたため、組立作業性の悪化や、部品点数が多いことによるコスト増を引き起こすと共に、ネジが見えることによる外観の悪化も生起していた。
【０００６】
本発明は、係る従来の技術的課題を解決するために成されたものであり、組立作業性の改善と部品点数の削減によりコストを低減し、外観の向上も図ることができる平型ショーケースを提供するものである。
【０００７】
【課題を解決するための手段】
本発明の平型ショーケースは、上面に開口する矩形状の本体を備え、この本体の開口縁各辺には透明板を立設して成るものであって、本体開口縁の隅部に立設された支柱と、この支柱に固定され、支柱と共に前記透明壁の端部を保持するコーナーキャップと、前記開口縁各辺の外側に取り付けられたハンドレールと、各ハンドレールの突き合わされる端面間に渡って設けられたコーナーカバーとを備え、ハンドレールは最も外側となる垂直部と上傾斜部と下傾斜部と被係合部を有すると共に、コーナーカバーは、最も外側となる垂直部と上傾斜部と下傾斜部と被係合部を有し、コーナーカバーの上下傾斜部及び被係合部をハンドレールの上下傾斜部及び被係合部に係合させる共に、コーナーキャップの下端面により、コーナーカバーの上傾斜部を上から押さえ付けたものである。
【０００８】
本発明によれば、上面に開口する矩形状の本体を備え、この本体の開口縁各辺には透明板を立設して成る平型ショーケースにおいて、本体開口縁の隅部に立設された支柱と、この支柱に固定され、支柱と共に前記透明壁の端部を保持するコーナーキャップと、前記開口縁各辺の外側に取り付けられたハンドレールと、各ハンドレールの突き合わされる端面間に渡って設けられたコーナーカバーとを備え、ハンドレールは最も外側となる垂直部と上傾斜部と下傾斜部と被係合部を有すると共に、コーナーカバーは、最も外側となる垂直部と上傾斜部と下傾斜部と被係合部を有し、コーナーカバーの上下傾斜部及び被係合部をハンドレールの上下傾斜部及び被係合部に係合させる共に、コーナーキャップの下端面により、コーナーカバーの上傾斜部を上から押さえ付けるようにしたので、ハンドレールのコーナーカバーをネジ止めすること無く、上下部の係合とコーナーキャップの上からの押圧力によって固定することが可能となる。
【０００９】
これにより、従来のネジ止めに比して取り付け作業性が著しく向上すると共に、部品点数も削減されるので、コストの低減も図れる。また、ネジ止め箇所が無くなるため外観も向上し、販売促進効果も改善されるものである。
【００１０】
【発明の実施の形態】
次に、図面に基づき本発明の実施形態を詳述する。図１は本発明の平型ショーケース１の斜視図、図２は本発明の平型ショーケース１隅部の拡大縦断正面図、図３は本発明の平型ショーケース１隅部の分解斜視図である。
【００１１】
本発明のショーケース１は、スーパーマーケットなどの店舗に設置される平型の低温ショーケースであり、上方に向けて開口し、内部に上面開口の貯蔵室３が形成された断熱壁４にて本体２が構成されている。
【００１２】
本体２の下部には機械室５が設けられており、この機械室５内には貯蔵室３を冷却するための冷却装置を構成する図示しない圧縮機や凝縮器などが設置されている。
【００１３】
また、貯蔵室３の底部には、図示しないワイヤラック上に図示しないデックパンと称される所定面積の商品載置板が載置され、この下方に図示しないダクト（循環路）を形成すると共に、このダクト内に冷却装置の図示しない蒸発器と送風機が設けられ、この蒸発器にて冷却された冷気を送風機によって、開口の一方の縁部に形成した図示しない吐出口から対向する他方の縁部に形成した吸込口に向けて吐出している。これによって、貯蔵室３の開口にはエアーカーテンを形成しつつ、貯蔵室３内を所定の温度に冷却している。
【００１４】
一方、断熱壁４の開口縁の各辺外側には、ハンドレール６が取り付けられている。このハンドレール６は硬質合成樹脂の押し出し成形又はアルミニウム板にて構成されており、図２に示す如く、最も外側となる所定幅の垂直部６Ａと、上傾斜部６Ｂ、下傾斜部６Ｃおよび被係合部６Ｄから構成されると共に、これらは一体形成されている。
【００１５】
前記垂直部６Ａは断熱壁４の側面と平行となり、上傾斜部６Ｂは垂直部６Ａの上側に連続し、下傾斜部６Ｃは垂直部６Ａの下側に連続し、被係合部６Ｄは下傾斜部６Ｃの内側に連続する。
【００１６】
係る被係合部６Ｄは、傾斜部６Ｆ、垂直部６Ｇおよび水平部６Ｈを一体形成したアンダーカット形状に構成されており、傾斜部６Ｆは下傾斜部６Ｃの内側に連続し、垂直部６Ｇは傾斜部６Ｆと連続していると共に、断熱壁４の側面と所定の間隔を存して平行となり、水平部６Ｈは垂直部６Ｇに連続し、断熱壁４に当接するように構成されている。
【００１７】
また、前記ハンドレール６の上傾斜部６Ｂの上端は水平部６Ｊと垂直部６Ｋから構成されており、断熱壁４の上端の形状に沿うように構成されている。
【００１８】
そして、断熱壁４の開口縁各辺にはガラス板或いは透明アクリル板などから成る透明壁７・・・が立設されている。
【００１９】
他方、断熱壁４の開口縁四隅部には支柱８・・・がそれぞれ立設されている。この支柱８は前記透明壁７と当接する当接部８Ａ、８Ａおよびこれらの間に位置する本体８Ｂにより形成されていると共に、前記透明壁７の内側に立設されている。係る支柱８の上部には、コーナーキャップ９を固定するための図示しないネジを螺合させるネジ穴１０が形成されている。
【００２０】
また、各支柱８・・・の外側には、コーナーキャップ９が取り付けられる。このコーナーキャップ９は、図２および図３に示す如く、前記支柱８と所定の間隔を存して透明壁７の端部を被覆するように形成された本体９Ａと、前記支柱８の当接部８Ａ、８Ａの上端、本体８Ｂの上端および支柱８の当接部８Ａと当接している透明壁７およびこの近傍の上端を被覆するように形成されている上端部９Ｂにより構成されている。
【００２１】
また、係るコーナーキャップ９の上端部９Ｂは支柱８の当接部８Ａの上端の貯蔵室３側、本体８Ｂの上端の貯蔵室３側および支柱８に当接している透明壁７およびその近傍の上端の貯蔵室３側を被覆するための曲折部９Ｃが形成されている。この曲折部９Ｃにはコーナーキャップ９を支柱８に固定するための図示しないネジを挿入するためのネジ穴１１が支柱８に形成されたネジ穴１０と重合するように形成されている。
【００２２】
一方、前記ハンドレール６、６が突き合わされる端面間にはコーナーカバー１３が取り付けられる。このコーナーカバー１３は硬質合成樹脂の押し出し成形又はアルミニウム板にて構成されており、図３に示す如く、最も外側となる所定幅の垂直部１３Ａと、上傾斜部１３Ｂと、下傾斜部１３Ｃおよび下端の係合部１３Ｄから構成される。これらは一体形成されていると共に、垂直部１３Ａはハンドレール６Ａと平行となり、上傾斜部１３Ｂは垂直部１３Ａの上側に連続し、下傾斜部１３Ｃは垂直部１３Ａの下側に連続し、係合部１３Ｄは下傾斜部１３Ｃの内側に連続する。係る垂直部１３Ａ、上傾斜部１３Ｂおよび下傾斜部１３Ｃはそれぞれハンドレール６の端部の垂直部６Ａ、上傾斜部６Ｂおよび下傾斜部６Ｃと当接するように形成されている。
【００２３】
また、係る係合部１３Ｄは、傾斜部６Ｆと垂直部６Ｇと係合する。そして、上傾斜部１３Ｂの上端部は、押さえ部１３Ｅと係合部１３Ｆにより構成されている。この押さえ部１３Ｅの外側は前記コーナーキャップ９に向かって上に傾斜していると共に、押さえ部１３Ｅの内側はコーナーキャップ９を取り付けた際にコーナーキャップ９と平行に当接するように形成されている。
【００２４】
そして、この押さえ部１３Ｅと連続して形成されている係合部１３Ｆは、前記ハンドレール６の上傾斜部６Ｂの水平部６Ｊおよび垂直部６Ｋと係合するように係合部１３Ｆの端部が直角に内側に曲折されている。
【００２５】
以上の構成により、平型ショーケース１の本体２にコーナーキャップ９およびコーナーカバー１３を取り付ける方法は、まず、本体２の開口縁コーナー部に支柱８を取り付け、ハンドレール６を開口縁各辺の外側に取り付けた後、コーナーカバー１３の係合部１３Ｄをハンドレール６の被係合部６Ｄと係合させ、次いで、係合部１３Ｆをハンドレール６の垂直部６Ｋに係合させる。
【００２６】
次に、透明壁７を支柱８の当接面８Ａの外側に当接させ、支柱８の上方からコーナーキャップ９を取り付ける。この際に、透明壁７は支柱８とコーナーキャップ９により挟持されると共に、コーナーキャップ９の下端面は前記コーナーカバー１３の係合部１３Ｆを上から押さえる。
【００２７】
そして、コーナーキャップ９に形成されたネジ穴１１および支柱８に形成されたネジ穴１０に貯蔵室３側から図示しないネジで螺合することにより固定する。
【００２８】
以上のように構成したことにより、コーナーカバー１３の上下部をハンドレール６に係合させると共に、コーナーキャップ９により、上から押さえ付けるようにしたので、ハンドレール６のコーナーカバー１３をネジ止めすること無く、下部の係合とコーナーキャップ９の押圧力によって取り付けることが可能となる。
【００２９】
これにより、従来のネジ止めに比して取り付け作業性が著しく向上すると共に、部品点数も削減されるので、コストの低減も図れる。また、ネジ止め箇所が無くなるため外観も向上し、販売促進効果も改善されるものである。
【００３０】
【発明の効果】
以上詳述した如く本発明によれば、上面に開口する矩形状の本体を備え、この本体の開口縁各辺には透明板を立設して成る平型ショーケースにおいて、本体開口縁の隅部に立設された支柱と、この支柱に固定され、支柱と共に前記透明壁の端部を保持するコーナーキャップと、前記開口縁各辺の外側に取り付けられたハンドレールと、各ハンドレールの突き合わされる端面間に渡って設けられたコーナーカバーとを備え、ハンドレールは最も外側となる垂直部と上傾斜部と下傾斜部と被係合部を有すると共に、コーナーカバーは、最も外側となる垂直部と上傾斜部と下傾斜部と被係合部を有し、コーナーカバーの上下傾斜部及び被係合部をハンドレールの上下傾斜部及び被係合部に係合させる共に、コーナーキャップの下端面により、コーナーカバーの上傾斜部を上から押さえ付けるようにしたので、ハンドレールのコーナーカバーをネジ止めすること無く、上下部の係合とコーナーキャップの上からの押圧力によって固定することが可能となる。
【００３１】
これにより、従来のネジ止めに比して取り付け作業性が著しく向上すると共に、部品点数も削減されるので、コストの低減も図れる。また、ネジ止め箇所が無くなるため外観も向上し、販売促進効果も改善されるものである。
【図面の簡単な説明】
【図１】本発明の平型ショーケースの斜視図である。
【図２】本発明の平型ショーケース隅部の拡大縦断正面図である。
【図３】本発明の平型ショーケース隅部の分解斜視図である。
【符号の説明】
１  ショーケース
２  本体
３  貯蔵室
４  断熱壁
５  機械室
６  ハンドレール
６Ａ  垂直部
６Ｂ  上傾斜部
６Ｃ  下傾斜部
６Ｄ  被係合部
６Ｆ  傾斜部
６Ｇ、６Ｋ  垂直部
６Ｈ、６Ｊ  水平部
７  透明壁
８  支柱
８Ａ  当接部
８Ｂ  本体
９  コーナーキャップ
９Ａ  本体
９Ｂ  上端部
９Ｃ  曲折部
１０、１１  ネジ穴
１３  コーナーカバー
１３Ａ  垂直部
１３Ｂ  上傾斜部
１３Ｃ  下傾斜部
１３Ｄ、１３Ｆ  係合部
１３Ｅ  押さえ部
【図１】
0003831506.tif 000002
【図２】
0003831506.tif 000003
【図３】
0003831506.tif 000004